(57)【特許請求の範囲】
【請求項１】
手動操作可能なポンプ（２０）の媒体用吐出装置であって、その際、
このポンプ（２０）が、出発位置とポンプストローク終端位置との間に存在する全ポンプストローク毎に、２つの相対して移動可能な部材（３，４）の部分ストロークとして操作可能であり、その際、
少なくとも一方の部分ストロークの端部において、ポンプストロークを決定する、操作力によって克服できない、停止装置（１０）が設けられており、
この停止装置が、この部分ストロークに直ぐに続いて、停止解除可能であり、
且つ、それに加えて、少なくとも２つのガイド部分（３８，３９）から成る案内部、並びに、少なくとも１つの、この案内部内を走行する突起（４２）を有している、上記媒体用吐出装置において、
ばね（３７）が設けられており、このばねは、突起（４２）が、部材（３，４）の回転によって、相対して一方のガイド部分（３８）から他方のガイド部分（３９）内へと自動的に移行され、且つこれによって、この停止装置が停止解除されるように構成されていることを特徴とする吐出装置。
【請求項２】
ばね（３７）は、ストローク戻しばねであり、且つ、突起（４２）が、この戻しばねの作用のもとで、部分ストローク戻しを実施し、およびその際に、回転を生じさせる制御側面（４８）と協動するように構成されていることを特徴とする請求項１に記載の吐出装置。
【発明の詳細な説明】
【０００１】
【発明の属する技術分野】
本発明は、ガス状または揮発性、液状またはペースト状、粉末状媒体およびまたはその類似物のような特に流動性媒体のための吐出装置に関する。この吐出装置は本発明に従い、少なくとも１個の手動操作可能なポンプと、出口通路を介してポンプ室に接続された、噴霧ノズルのような吐出口を備え、手動操作することにより、少なくとも予め定めた媒体量の簡単な吐出を保証する。
【０００２】
【従来の技術】
特開平２−１１１５８号明細書は、本発明の請求項１の上位概念による噴霧器を示している。図３ａにおいて、突出部が、それぞれの部分ストロークによって、係止部内に走行し、この係止部は、しかしながら高い操作力によって乗り越えられる。使用者は、従って、力強い操作によって多数の部分ストロークを、じかに順々に解除可能であり、このことは、薬剤の投与において危険である。
【０００３】
この上記明細書の図３ｂおよび特開昭５６−３４３５６号明細書において、突出部が、強固なストッパーに突き当たり、従って、この危険は存在しない。しかし、そのために、使用者は、この使用者が他の部分ストロークを解除したい場合、両方のケーシング部分を、手動で相対して回転せねばならない。
【０００４】
【発明が解決しようとする課題】
本発明の根底をなす課題は、公知の解決策の欠点を除去し、特に同じ把手を操作することによって同じ吐出口から、予め定めた媒体量の２倍以上を続けて吐出することができる手動操作可能な吐出装置を提供することである。
【０００５】
【課題を解決するための手段】
課題を解決するために、後続の部分ストロークに切り換えることができるように、少なくとも一つの部分ストロークをそのストローク終端部で制限する手段が設けられている。この場合特に、外側が密閉閉鎖され入口を持たないポンプ室が、それによって吐出される媒体の全量を貯蔵し、補充しないで部分ストロークで狭めることによって空にされる。従って、この構造は特にドイツ連邦共和国特許出願第３５３２８９０．８号明細書記載の吐出装置に適している。これ以上の詳細および作用についてこの明細書を参照して頂きたい。
【０００６】
その都度の部分ストロークを制限するために例えば相対的に移動可能で特に摺動可能な部材のストッパーを備えた停止装置を設けることができる。更に、一方の部材またはこの部材に突出形成された把手が部分ストロークの終端でおよび端位置に達する前に、他方の部材に対して次のような位置を占めることができる。すなわち、握り直さなければそれ以上操作できないようなあるいはこの操作が非常に困難なような位置を占めることができる。例えば前者の部材の把手が弓形部材の横方向ウェブによってあるいはキャップの端壁によって形成されると、把手はそれに対してほぼ半径方向の親指によって、他方の部材の所属のケーシング端部とほぼ同一直線上に並ぶまで操作可能である。一方の部材の把手が他方の部材に完全に挿入される他の操作または他の部分ストロークのために、ほぼ軸方向に位置するように把手を握り直さなければならない。
【０００７】
停止装置は好ましくは二つのケーシング部分の間に設けられている。このケーシング部分のうち、少なくとも挿入可能なケーシング部分は実質的に形状安定性がある。ケーシング部分は、吐出装置全体のためのまたはポンプのための、ほぼ完全に閉じた外側ケーシングを形成している。このケーシング部分から、場合によっては管状または類似の形の吐出突起が突出している。この突起は吐出口を備えている。両ケーシング部分のうちの大きなケーシング部分は好ましくは吐出管に接続されているかまたはほぼ一体に形成されている。
【０００８】
停止装置は吐出装置の後端の範囲に、例えば出発位置では吐出口寄りのポンプ室端部の後方に、省スペース的にかつ容易に組み立て可能に設けることができる。本発明により、一つの部分ストロークから次の部分ストロークに移行するために、切換装置または順序切換装置が設けることができる。それによって、ポンプを二つの部分ストロークの間で出発位置へ戻す必要、または手動で回転する必要はない。ポンプがこの出発位置に戻されると、出口通路が空転吸込みされ、場合によってはポンプ室に空気を吸い込むので有利である。しかし、一種の自由移動距離を設けることにより、部材または把手を出発位置に戻すにもかかわらず、出発位置へのポンプの戻りが避けられる。
【０００９】
ポンプとしては、形状安定性のある簡単な貯蔵容器またはシリンダ容器を備えた往復ピストンポンプが設けられると有利である。ポンプの周壁はその底と一体に形成可能である。このシリンダ容器は一方の部材の摺動ガイド内にストッパーで制限されるように挿入され、容器に対するその摩擦が、ポンプピストンの摩擦あるいはそれに連結された部材の摩擦よりも小さいと、ポンプシリンダはそれぞれの部分ストロークの端部でポンプピストンに対して停止している。一方、摺動ガイドを有する部材は所属の把手と共に出発位置の方へ戻ることができる。
【００１０】
半径方向距離をおいて外側ケーシング内に完全に設けられたポンプのポンプピストンとシリンダはあらゆる位置で外側ケーシングの端壁の間に位置する。このポンプは付加的に保護して内側保持器または内側ケーシング内に設けることができる。この内側ケーシングは半径方向に離して外側ケーシング内に設けられ、場合によってはその全長にわたって延びている。この内側ケーシングは外側ケーシングのように、その開放した側にテレスコープ状に互いに係合する二つのキャップからなっている。このキャップは出発位置で当接制限されて互いに係合し、場合によっては環状室内にある戻しばねのためのガイドを形成し、およびまたはスナップ継手等によって互いに連結可能である。このスナップ継手は組み立て後、誤って分離しないように作用する、両部材の１個の軸方向保持部材を形成する。
【００１１】
本発明の好ましい実施形のこれらの特徴および他の特徴は、請求の範囲のほか、明細書および図面から明らかである。この場合、個々の特徴は本発明の一実施形および他の分野でそれぞれ単独であるいは互いに複数個組み合わせて実施可能であり、そして権利が要求される単独で保護される実施であると有利である。本発明の実施例が図に示してある。次に、この実施例について詳しく説明する。
【００１２】
【発明の実施の形態】
吐出装置１はほぼ一体の本体２を備えている。この本体は互いに軸方向に摺動可能な二つの部材３，４の一方を形成している。両部材は一緒に、少しだけ段差のついた円筒状の外側ケーシング５を形成している。この外側ケーシングの長さは例えば約３０・のその直径のオーダーである。薄壁状のケーシング３はキャップ状の２個のケーシング部分６，７によって画成される。そのうち、本体２のケーシング部分は外周のところで密接するように他のケーシング部分７を取り囲んでいる。各ケーシング部分６または７はほぼ平らな端壁８または９を備え、ほぼ円筒状の周壁１１または１２を備えている。周壁１１，１２には停止装置１０が付設されている。この停止装置は両ケーシング部分６，７の相互のストロークを、回転位置に応じて異なるように直接制限する。
【００１３】
ケーシング部分６の端壁８の外面の中央から、非常に小さな直径の管状突起１３が突出している。この管状突起は実質的に、一端が端壁８に一体に接続する外側スリーブ１４と、この外側スリーブ内にほぼ接触しないように設けられた内側管１５とによって形成されている。外側スリーブと内側管はそれらの前側端部のところでノズルキャップ１６を形成するために互いに一体に接続している。ノズルキャップ１６の端壁には、大気に通じる吐出口１７が設けられている。この吐出口は旋回装置１９を介在して出口通路１８の一端に接続されている。
【００１４】
外側ケーシング５内にはポンプ２０が設けられている。このポンプはピストンロッド２２を備えた一体のポンプピストン２１とシリンダ２３からなっている。このシリンダは、ほぼ完全に閉じていて媒体を充填した容器２４によって形成されている。容器の内部は貯蔵室のほかに、ポンプ室２５を形成している。このポンプ室は一端がポンプピストン２１だけによって密閉されている。容器２４はほぼ円筒状の周壁２６と、底２７とによって形成されている。容器のピストン移動路は、突出する外側縁部を備えた開放端部において、全体が開放しているかまたは漏斗状に拡がっている。その際、シリンダ蓋等は設けられていない。
【００１５】
ピストンロッド２２はそのピストン２１と反対の端部が、旋回装置１９の一部と、出口１７の内側端部の画成部を形成している。出口通路１８はポンプ室２５に接続させてポンプピストン２１内に設けられ、そして横方向通路を経て、ピストンロッド２２の外周部と内側スリーブ１５の内周部の間に設けられた区間に接続している。ピストンロッド２２は出口１７の方へ段階的に外径が小さくなる二つのロッド区間を備えている。この区間のうち、ポンプピストンに接続する区間は内側スリーブ１５の孔内に密接配置されている。内側スリーブはこの区間から間隔をおいて、所属のロッド端部の近くで同様に段差を有しているので、このロッド端部を密接状態で取り囲んでいる。しかし、内側スリーブはピストンロッド２２の外周から少しだけ隙間距離を有する。ポンプピストン２１はそれと一体に形成された複数個、例えば３個のピストン唇部２８を備えている。このピストン唇部は直に隣接して連続して設けられ、ほぼ鋭角にまたは鋸歯状に形成され、そして適当な鋭角の環状溝によって互いに分離されている。ピストン唇部の斜めの側面はそれぞれその前側の側面を形成し、予備押圧力によってシリンダ２３の内周面に接触している。接触しないで端壁８を貫通し外側ケーシング５内に達する内側スリーブ１５は、ポンプピストン２１の後端近くまでシリンダ２３内に達し、シリンダ２３の内周に沿って滑動する。
【００１６】
外側ケーシング５内には、段差を付けた円筒状のほぼ同じ長さの小さな内側ケーシング２９が設けられている。この内側ケーシングは実質的に外側スリーブ３０と内側スリーブ３１からなっている。外側スリーブ１４よりも少しだけ大きい外側スリーブ３０は、周壁１１よりも短い距離だけ端壁８の内面から一体的に突出し、外側スリーブ１４の内室の方が完全に開放している。内側スリーブ３１の周壁は端壁９の内面に一体的に直接接続し、周壁１２よりも更に軸方向へ、従って周壁の端面を越えて突出している。内側スリーブはその自由端に、互いに係合するためのそれぞれ一つのリングつば状のストッパー３２または３３を備えている。このストッパーにより、部材４はポンプストローク出発位置において他の部材３から軸方向に引き出すことができない。同時に、このストッパーは組み立て時に両部材３，４をばね係止のように連結するために自動的に拡開するスナップ継手３４を形成する。ポンプピストン２１の端部は外側スリーブ３０の端面よりも少しだけ後退している。
【００１７】
内側スリーブ３１は周壁１２と内側スリーブ３１の内側端面を越えて突出する容器２４のための摺動または差し込み収容部３５を形成している。容器は組み立て位置において内側スリーブ３１の底または端壁９の内面に支持されて接触し、更に外周のところで保持されている。そのために、容器２４は内側スリーブ３１の内周に接触しないで、周方向に均一に分配配置された半径方向リブ３６または半径方向内側のリブの縁面に接触している。この接触が予備付勢力で行われると、容器２４はすべての運動を部材４と一緒に行うことができる。接触部が摺動案内部を形成するので、容器２４は部材４の後方ストローク運動時にひきずり連結の方法で、常にポンプピストン２１との相対位置を保持する。
【００１８】
容器２４を部材４と一体的に形成し、内側ケーシング２９を省略することができる。ポンプストローク端位置において、内側スリーブ３１から突出する容器２４の開放端部は、ほぼ全部が外側スリーブ１４内にある。この外側スリーブ内で容器の開放端部の外縁を締付けて後退しないように保持することができる。内側スリーブ３１の端面は端壁８の内面から短い距離をおいて設けられ、底壁９は外側スリーブ３０の端面から同じ距離をおいて設けられている。それにより、ポンプピストン２１の内側端面は容器２４の底２７まで移動することができ、それによってポンプ運動は当接制限される。
【００１９】
停止装置１０は周囲に均一分配配置された複数個、例えば２個の突起４２を備えている。この突起はケーシング部分７の開放端部においてその外周から突出している。各カム４２には、互いに直に隣接する、周壁１１の内周の溝によって形成された縦方向ガイド３８，３９が付設されている。このガイドの数は部分ストロークの数に一致している。ガイドを形成する溝は周壁の開放端面から形成され、周壁の長さの一部にわたって延びている。短い縦方向ガイド３８の端面４１は第１の部分ストロークの端部での突起４２のストッパーを形成する。この部分ストロークにより、約０．１ｍｌの貯蔵量の約半分が容器２４から吐出される。この部分ストロークの終わりに、所属するケーシング部分６の端面４１は、位置している。この端面に隣接して、縦方向ガイド３８，３９は横方向ガイド４０を介して互いに連結されている。
【００２０】
部材４は第１の部分ストロークの終わりに、突起４２と共に、戻しばね３７によって出発位置の方向において戻される。この戻しばねは両ケーシングの間の環状室内あり、端壁８，９に支持されている。出発位置では、部材４を部材３と相対的に回転させることにより、突起４２が横方向ガイド４０を経て縦方向ガイド３９の始端に達する。
【００２１】
戻しばね３７は省略することができる。図２のように、横方向ガイド４０は、端面４１に接続して設けられている。それによって、突起４２は軸方向の戻し運動なしに直接次の縦方向ガイド３９に回転することができる。この場合戻しばね３７が設けられていると、短い軸方向戻し運動を行うことにより、突起４２は戻しばねの力により、傾斜した制御側面４８上を滑り、それによって自ら縦方向ガイド３９の始端部に移動することができる。従って、逐次接続部４７は形成される。
【００２２】
この場合、突起４２は縦方向ガイド３９の所属の側面に当接している。なぜなら、縦方向ガイド３８，３９の対応する側面が横方向ガイド４０の端部の両側に位置しているからである。今や、新たなストローク運動で、残りの量を容器２４から吐出することができる。ケーシング部分７はこの端位置から再びその出発位置へ戻すことができる。
【００２３】
端壁８の外面は管状突起１３を環状に取り囲む押圧把手４３を形成している。一方、端壁９の外面は押圧把手４４を形成している。この押圧把手４４の外径は把手４３の外径とほとんど同じである。吐出装置１は通常は３本の指で操作される。この場合、人指し指と中指が把手４３に接触する。ほぼすべての部材は共通の中心軸線４５内にあるかまたはこの中心軸線に対して対称に設けられている。
【００２４】
部材４は出発位置においてもポンプ運動に抗して起動できるように錠止可能である。例えば、縦方向ガイド３８，３９の間にある横方向ガイド４０の横方向画成部が突起４２の当接面４６を形成することができる。それによって、使用開始前に突起４２を回転させなければならない。更に、両部材３，４のスナップ連結のために、あるいは出発位置でのその軸方向分離防止のために、突起４２を設けることができる。この場合、縦方向ガイド３８，３９および場合によっては横方向ガイド４０は、周壁１１の端面の所にあるその端部が閉じている。
【００２５】
部材３，４のそれぞれの相対位置により、どの位部分ストロークが進んでいるかが判るので、簡単な表示装置となる。
【００２６】
部材４は容器２４と共に一つの組み立てユニットを形成する。この組み立てユニットは一つの差し込み工程で、部材３とポンプピストン２１からなる他の組み立てユニットに連結可能である。それによって、吐出装置１は非常に良好に充填、組み立てまたは閉鎖可能である。
【図面の簡単な説明】
【図１】本発明による吐出装置の軸方向断面図である。
【図２】図１の一部を示す図である。
【図３】図２の部分の横断面図である。
【符号の説明】
１    吐出装置
２    本体
３    部材
４    部材
５    外側ケーシング
６    ケーシング部分
７    ケーシング部分
８    端壁
９    端壁
１０  停止装置
１１  周壁
１２  周壁
１３  管状突起
１４  外側スリーブ
１５  内側管
１６  ノズルキャップ
１７  吐出口
１８  出口通路
１９  旋回装置
２０  ポンプ
２１  ポンプピストン
２２  ピストンロッド
２３  シリンダ
２４  容器
２５  ポンプ室
２６  周壁
２７  底
２８  ピストン唇部
２９  内側ケーシング
３０  外側スリーブ
３１  内側スリーブ
３２  ストッパー
３３  ストッパー
３４  スナップ継手
３５  摺動または差し込み収容部
３６  半径方向リブ
３７  ばね
３８  ガイド部分
３９  ガイド部分
４０  横方向ガイド
４１  端面
４２  突起
４３  押圧把手
４４  押圧把手
４５  中心軸線
４６  当接面
４７  横方向ガイド
４８  制御側面
【図１】
0003554559.tif 000002
【図２】
0003554559.tif 000003
【図３】
0003554559.tif 000004